(57)【要約】      （修正有）【課題】デザイン性に優れ且つ備え付けられた状態であってもスパウト部の回動範囲を簡単に変更できる水栓器具を提供する。【解決手段】水栓器具は、レバーハンドル１０が上面に装着される小径部２１と小径部の下方に位置する水栓部とを有する水栓本体２０と、水栓本体２０を収容する筒状部３１と先端側に吐水口が設けられたスパウト部とを有しており水栓本体２０に対して左右方向に回動する回動体と、小径部２１の外周と筒状部３１の内周との間に形成される環状溝と、環状溝にまで至るように突出し且つ筒状部３１の内周に固定されて回動体の回動に伴って環状溝内を移動する移動張出部３５ｂと、水栓本体２０の小径部２１の外周から環状溝にまで至るように突出しており移動張出部３５ｂの移動範囲を規制する固定隆起部２１ａと、環状溝内に収容されることによって移動張出部３５ｂが環状溝内を移動する範囲を狭める１つ又は複数のキー部材３８とを備える。【選択図】図４
2014177807.tif 000002
【特許請求の範囲】
【請求項１】
レバーハンドルが上面に装着される小径部と、当該小径部の下方に位置する水栓部とを有する水栓本体と、
前記水栓本体を収容する筒状部と、当該筒状部の側面から外側に延びており先端側に吐水口が設けられたスパウト部とを有し、前記水栓本体に対して左右方向に回動する回動体と、
前記小径部の外周と、前記筒状部の内周との間に形成される環状溝と、
前記環状溝にまで至るように突出し且つ前記筒状部の内周に固定されており前記回動体の回動に伴って前記環状溝内を移動する移動張出部と、
前記水栓本体の前記小径部の外周から前記環状溝にまで至るように突出しており、前記移動張出部の移動範囲を規制する固定隆起部と、
前記環状溝内に収容されることによって前記移動張出部が前記環状溝内を移動する範囲を狭める１つ又は複数のキー部材と、
を備える水栓器具。
【請求項２】
前記回動体の左方向の回動範囲と右方向の回動範囲とが互いに異なるように、複数の前記キー部材が前記環状溝に左右非対称に収容されている、請求項１に記載の水栓器具。
【請求項３】
前記小径部の外周と、前記筒状部の内周とによって画成される領域に収容され且つ前記筒状部に固定されているリング部材を更に備え、
前記小径部の外周と、前記リング部材の内周とによって前記環状溝が画成され、前記リング部材に前記移動張出部が設けられている、請求項１又は２に記載の水栓器具。
【請求項４】
前記リング部材は、前記キー部材の位置決めするための複数の溝を内周に有し、当該位置決め用溝に前記キー部材を固定できるようになっている、請求項３に記載の水栓器具。
【請求項５】
前記キー部材は、前記環状溝内に収容された状態において上端側が前記環状溝から突出している、請求項１〜４のいずれか一項に記載の水栓器具。
【請求項６】
吐水と止水とを切り替えるレバーハンドル又はスイッチを有する水栓本体と、
前記水栓本体から上方に延びるとともに基端面に移動張出部が設けられた回動スパウトと、
前記水栓本体の上部に設けられており、前記回動スパウトが前記水栓本体に対して回動自在に接続される接続部と、
前記接続部に設けられており、前記回動スパウトの前記移動張出部が収容される円弧状溝と、
前記円弧状内に収容されることによって前記移動張出部が前記円弧状内を移動する範囲を狭める１つ又は複数のキー部材と、
を備える水栓器具。
【請求項７】
請求項１〜６のいずれか一項に記載の水栓器具の前記キー部材として用いられるキー部材。
【発明の詳細な説明】
【技術分野】
【０００１】
本発明は、水栓本体に対して左右方向に回動するスパウト部を有する水栓器具に関する。
【背景技術】
【０００２】
従来、家やマンションにもともと備え付けられている蛇口やシャワーなどの水栓器具をそのまま使用するユーザーが多かった。しかし、デザイン性及び機能性に優れた水栓器具が発売されるようになり、既存の水栓器具を取り外し、新規に購入した水栓器具に付け替えるユーザーが増えている。
【０００３】
例えば、新規の蛇口１をキッチンのシンク５に取り付ける場合、図１（ａ）に示すように、蛇口１のスパウト（吐水管）２を左右方向に最大の範囲で回動させてもシンク５の外に吐水されないようにスパウト２の回動範囲を設定することが望ましい。図１（ｂ）に示すように、シンク５の中央から横方向（図１（ｂ）では右側）にずれた位置に蛇口１を設置せざるを得ない場合、スパウト２の回動範囲を制限する必要がある（図１（ｃ）参照）。特許文献１〜３は吐水管の回動範囲を制限できる水栓器具を開示する。
【先行技術文献】
【特許文献】
【０００４】
【特許文献１】特許第４８５４５９３号公報
【特許文献２】特許第４５９８５５９号公報
【特許文献３】特許第４８７９０６６号公報
【発明の概要】
【発明が解決しようとする課題】
【０００５】
特許文献１，２に記載の水栓器具においては回動規制用ビス又は回動規制用パーツを固定するためのビスが使用される。これらのビスは外から見える位置にあるため、水栓器具の外観を損ないデザイン性が低下するという課題がある。
【０００６】
ところで水栓器具の回動範囲を変更することが求められる対象は、上述のようにユーザーが新規に購入した水栓器具のみならず、既に備え付けられている水栓器具も含まれる。例えば、分譲マンションのオーナーが変わったときやシンクの外に吐水されるトラブルが発生したときなどに、既存の水栓器具の回動範囲を変更するニーズが生じることがある。
【０００７】
既存の水栓器具の回動範囲を事後的に変更することか容易であるか否かの観点から検討すると、特許文献１，２に記載の水栓器具はビスが側面に位置しているため、水栓器具が備え付けられた状態では作業が困難であり、水栓器具を一旦取り外さなければならないと考えられる。引用文献３に記載の水栓器具は回動を規制するためのストッパボルトが水栓本体内部に設けられているため、水栓器具の大掛かりな解体作業を要する。
【０００８】
本発明は上記課題に鑑みてなされたものであり、デザイン性に優れ且つ備え付けられた状態であってもスパウト部の回動範囲を簡単に変更できる水栓器具を提供することを目的とする。
【課題を解決するための手段】
【０００９】
本発明の水栓器具は、レバーハンドルが上面に装着される小径部と当該小径部の下方に位置する水栓部とを有する水栓本体と、水栓本体を収容する筒状部と当該筒状部の側面から外側に延びており先端側に吐水口が設けられたスパウト部とを有し水栓本体に対して左右方向に回動する回動体と、小径部の外周と筒状部の内周との間に形成される環状溝と、環状溝にまで至るように突出し且つ筒状部の内周に固定されて回動体の回動に伴って環状溝内を移動する移動張出部と、水栓本体の小径部の外周から環状溝にまで至るように突出しており移動張出部の移動範囲を規制する固定隆起部と、環状溝内に収容されることによって移動張出部が環状溝内を移動する範囲を狭める１つ又は複数のキー部材とを備える。
【００１０】
上記水栓器具によれば、水栓本体の上部に位置する環状溝にキー部材を挿入するという簡易な作業で回動体の回動範囲を制限できる。キー部材が収容される環状溝は回動体の内部に位置しているため、水栓器具の外観が損なわれることがなく優れたデザイン性を実現できる。環状溝の開口を露出させるには水栓器具の上部のパーツ（例えば、レバーハンドル及び場合によっては化粧リング等）を取り外せばよく、大掛かりな解体作業を必要としない。このため、水栓器具が既に備え付けられた状態であっても回動体の回動範囲の変更作業を簡単に行うことができる。
【００１１】
上記水栓器具において、回動体の左方向の回動範囲と右方向の回動範囲とが互いに異なるように、複数のキー部材が環状溝に左右非対称に収容されていてもよい。当該構成は、シンクの中央から横方向にずれた位置に水栓器具を設置せざるを得ない場合などに有用である（図１（ｃ）参照）。
【００１２】
上記水栓器具は、小径部の外周と筒状部の内周とによって画成される領域に収容され且つ筒状部に固定されているリング部材を更に備え、小径部の外周とリング部材の内周とによって環状溝が画成され、リング部材に移動張出部が設けられていてもよい。筒状部に固定できるリング部材を採用し、このリング部材に移動張出部を設けることで、筒状部に直接突起を設ける必要がないという利点がある。移動張出部の位置や個数が異なるリング部材を予め準備することで、回動範囲の変更ニーズに対して一層柔軟に対応できる。
【００１３】
上記リング部材は、キー部材の位置決めするための複数の溝を内周に有し、当該位置決め用溝にキー部材を固定できるようになっていてもよい。リング部材に当該位置決め用溝を設けることでキー部材を所定位置に容易に装着することが可能となる。
【００１４】
上記キー部材は、環状溝内に収容された状態において上端側が環状溝から突出していてもよい。キー部材の上端側を突出させることで、環状溝に一旦配置したキー部材を取り出しやすいという利点がある。
【００１５】
本発明の水栓器具は水栓本体の上方にスパウトが位置する構成であってもよい。この場合、本発明の水栓器具は、吐水と止水とを切り替えるレバーハンドル又はスイッチを有する水栓本体と、水栓本体から上方に延びるとともに基端面に移動張出部が設けられた回動スパウトと、水栓本体に設けられており回動スパウトが水栓本体に対して回動自在に接続される接続部と、接続部に設けられており回動スパウトの移動張出部が収容される円弧状溝と、円弧状内に収容されることによって移動張出部が円弧状内を移動する範囲を狭める１つ又は複数のキー部材とを備える。
【００１６】
この水栓器具によれば、水栓本体の上部に位置する接続部の円弧状溝にキー部材を挿入するという簡易な作業で回動スパウトの回動範囲を制限できる。キー部材は接続部の内部に形成される円弧状溝に収容されているため、水栓器具の外観が損なわれることがなく優れたデザイン性を実現できる。円弧状溝の開口を露出させるには水栓器具の上部の回動スパウトを引き上げればよく、大掛かりな解体作業を必要としない。このため、水栓器具が既に備え付けられた状態であっても回動スパウトの回動範囲の変更作業を簡単に行うことができる。
【００１７】
本発明は、上記水栓器具のキー部材として用いられるキー部材を提供する。上記水栓器具の環状溝又は円弧状溝内にキー部材を収容することで、回動体の回動範囲を容易に制限することができる。
【発明の効果】
【００１８】
本発明によれば、デザイン性に優れ且つ備え付けられた状態であっても吐水管の回動範囲を簡単に変更できる水栓器具及びこれに用いるキー部材が提供される。
【図面の簡単な説明】
【００１９】
【図１】水栓器具とシンクとの位置関係及びスパウトの回動範囲を模式的に示す図である。
【図２】本発明に係る水栓器具の第一実施形態を示す斜視図である。
【図３】図２に示す水栓器具の内部構造を模式的に示す断面図である。
【図４】図２に示す水栓器具の分解斜視図である。
【図５】図２に示す水栓器具が有する回動体の回動範囲を示す図である。
【図６】キー部材の位置決め用溝を有するリング部材の一例を示す斜視図である。
【図７】位置決め用溝に装着するのに適したキー部材の一例を示す斜視図である。
【図８】位置決め用溝にキー部材が装着された状態を示す平面図である。
【図９】第一の実施形態に係る水栓装置の変形例を示す分解斜視図である。
【図１０】図９に示す水栓器具が有する回動体の回動範囲を示す図である。
【図１１】第一の実施形態に係る水栓装置の他の変形例を示す分解斜視図である。
【図１２】図１１に示す水栓器具が有する回動体の回動範囲を示す図である。
【図１３】本発明に係る水栓器具の第二実施形態を示す斜視図である。
【図１４】図１３に示す水栓器具の分解斜視図である。
【図１５】図１３に示す水栓器具が有する回動スパウトの回動範囲を示す図である。
【発明を実施するための形態】
【００２０】
以下、図面を参照しながら本発明の好適な実施形態について説明する。なお、説明において、同一要素又は同一機能を有する要素には同一符号を用いることとし、重複する説明は省略する。
【００２１】
＜第一実施形態＞
図２，３を参照しながら、本実施形態に係る水栓器具の構成の概要を説明する。図２に示す水栓器具５０は、レバーハンドル１０が水栓本体２０の上面にあるタイプである。水栓器具５０は、左右方向に回動するスパウト部３３を有する回動体３０を備え、その回動範囲を簡単に変更できるという特長を有する。
【００２２】
水栓本体２０は、設置個所（例えばシンク周辺）に設けられた開口に水栓本体２０を固定するためのネジ及びフランジを有する下側筒状部２２と、その上側に位置する水栓部２５と、バルブ固定ナット２７とを有し、レバーハンドル１０が上面に装着されている。下側筒状部２２には下側から給水管２５ａ及び給湯管２５ｂが挿通され、水栓部２５に接続されている。水栓部２５には水と湯が混ざった混合水を移送するホース２５ｃが接続されている。ホース２５ｃは、下側筒状部２２内を通って下端側開口２２ａから出た後、再度、下端側開口２２ａに入り下側筒状部２２の側面開口部２２ｂを通ってスパウト部３３に至る。
【００２３】
水栓本体２０の材質としては、金属又は樹脂が使用できる。水栓の強度を確保する観点から、金属を使用することが好ましく、金属の中でも生産性（加工性）に優れる点から銅合金が好適である。また、樹脂を使用する場合は、熱可塑性樹脂が好適であり、その中でも剛性、耐疲労性、摺動性の観点からＰＯＭ（Polyoxymethylene）、ＰＡ（Polyamide）、ＰＰＯ（Polyphenyleneoxide）、ＰＰＳ（Polyphenylenesulfide）及びそれらの繊維強化材がより好適である。本実施形態においては水栓の強度、生産性（加工性）、コストを総合的に考慮し、金属と樹脂を複合利用している。
【００２４】
回動体３０は、水栓本体２０を収容する筒状部３１と、筒状部３１の側面から外側に延びるスパウト部３３とを有し、水栓本体２０に対して左右方向に回動するように構成されている。スパウト部３３は、先端側に吐水口３２ａを有するスパウト３２及びホース２５ｃを引き出せる構成となっており、スパウト３２の基端部を着脱自在に保持するスパウトホルダ３４を有する。スパウトホルダ３４は、筒状部３１の側面から外側に延びており、筒状部３１と共に回動する。回動体３０の上端周縁部には化粧リング３９が装着されている。なお、スパウト３２内に浄水カートリッジ（不図示）を装着できる構成とし、使用する水を原水又は浄水に切り替えをできるようにしてもよい。すなわち、ホース２５ｃからの混合水をそのまま吐水させるか、あるいは、浄水カートリッジを通過させて浄水を吐水させるかを切り替え可能な構成としてもよい。
【００２５】
回動体３０の材質としては、金属又は樹脂が使用できる。金属の中でも生産性（加工性）の観点から銅合金が好適であり、更に外観性の観点から銅合金にメッキ処理を施したものがより好ましい。樹脂の中でも、生産性の観点から熱可塑性樹脂が好適であり、更に外観性の観点からメッキグレードの樹脂にメッキ処理を施したものが好ましい。
【００２６】
次に、図３〜８を参照しながら、まず、回動体３０の回動を規制する機構を説明し、その後、回動体３０の回動範囲を変更するための構成について説明する。水栓本体２０は、図３，４に示すとおり、上側部分の外径が他の部分と比較して小さくなっている小径部２１を有する。この小径部２１の外周と、回動体３０の筒状部３１の内周とによって画成させる領域に、リング部材３５が装着されている。リング部材３５は外周に設けられた溝３５ａに筒状部３１内周に設けられた突起３１ａが嵌るように構成されており、回動体３０が回動するとこれと共に回動する。
【００２７】
リング部材３５を上記領域に配置することにより、小径部２１の外周と、リング部材３５の内周とによって環状溝３６が画成される。リング部材３５は、環状溝３６の内周から内側に向けて突出している移動張出部３５ｂを有する。他方、水栓本体２０の小径部２１は、その外周から外側に向けて突出している２つの固定隆起部２１ａを有する。２つの固定隆起部２１ａは、回動体３０の回動軸線ＣＬを挟むように設けられている。回動体３０が回動するに伴って環状溝３６内を移動張出部３５ｂが移動し、移動張出部３５ｂが固定隆起部２１ａに当接すると回動体３０はそれ以上回動しない（図５参照）。すなわち、固定隆起部２１ａ及び移動張出部３５ｂはそれぞれの先端部がいずれも環状溝３６内に至っており、固定隆起部２１ａが移動張出部３５ｂの移動を規制する。
【００２８】
なお、リング部材の３５の材質としては、樹脂又は金属を使用でき、コストの点から樹脂が好ましい。リング部材３５は水栓本体２０に対して摺動するため、熱可塑性樹脂の中でも剛性、耐疲労性、摺動性の観点からＰＯＭ（Polyoxymethylene）、ＰＡ（Polyamide）、ＰＰＯ（Polyphenyleneoxide）、ＰＰＳ（Polyphenylenesulfide）及びそれらの繊維強化材がより好ましい。
【００２９】
回動体３０の回動範囲を変更するため、図４に示すキー部材３８を使用する。キー部材３８を環状溝３６内に収容することによって環状溝３６内を移動張出部３５ｂが移動する範囲を狭めることができる。キー部材３８は、断面が円弧状を呈する棒状片（長さ１０〜２５ｍｍ程度）であり、例えば樹脂、金属等からなる。キー部材３８と、これに接触する他の部品との電位差による腐食を防止する観点から、キー部材３８の材質は樹脂が好ましい。樹脂の中でも生産性の観点から熱可塑性樹脂が好適である。キー部材３８は、作業者が装着方向に注意を払う必要がないように上下左右対称であることが好ましい。キー部材３８の両端部にはそれぞれ溝３８ａが形成されており、この溝３８ａにマイナスドライバー等を挿入して引っ張ることによってキー部材３８を容易に取り外すことができる。当該作業がしやすいように、キー部材３８は環状溝３６内に収容された状態において上端側が環状溝３６から突出していることが好ましい。
【００３０】
図５に示すように、環状溝３６に必要本数のキー部材３８を収容することによって回動体３０の回動を所望の範囲に設定することができる。図５の上段はキー部材３８の収容本数を右側１本、左側０本とした場合の回動範囲を示しており、中段は右側１本、左側１本とした場合、下段は右側１本、左側２本とした場合を示している。
【００３１】
キー部材３８を環状溝３６に挿入することによって変化する回動角度は、キー部材３８一本当たり、５〜２５°であることが好ましい。この角度が５°未満であると多数のキー部材３８を環状溝３６に挿入する必要が生じ、施工性が低下しやすい。また、キー部材３８自体が小さくなってしまい成形性が悪く、更には強度不足となりやすい。他方、この角度が２５°を超えると変化量が多くなってしまい角度調整の自由度が少なくなる傾向となる。この角度の下限値は１０°がより好ましく、上限値は２０°がより好ましい。
【００３２】
リング部材３５の構成を工夫し、リング部材３５にキー部材３８を位置決め機能を具備させてもよい。図６に示すリング部材３５Ａは、キー部材３８の位置決めするための複数の溝３５ｃを内周に有する。この場合、キー部材としては図７に示す構成のものを使用すればよい。同図に示すキー部材３８Ａは、位置決め用溝３５ｃに嵌め込むための板部３８ｂを更に有する点で前述のキー部材３８と相違する。
【００３３】
位置決め用溝３５ｃを有するリング部材３５Ａによれば、キー部材３８Ａを所望の位置に容易に装着できる（図８参照）。また、右方向及び左方向の回動規制につき、１本ずつのキー部材３８Ａを装着すればよく、キー部材３８Ａの本数及び作業量の削減効果も奏される（図８（ｂ）参照）。リング部材３５Ａ及びキー部材３８Ａは後述の変形例及び第二実施形態において採用してもよい。
【００３４】
水栓器具５０によれば、水栓本体２０の上部に位置する環状溝３６にキー部材３８（３８Ａ）を挿入するという簡易な作業で回動体３０の回動範囲を制限できる。キー部材３８（３８Ａ）が収容される環状溝３６は水栓器具５０の内部に位置するため、水栓器具５０の外観が損なわれることがなく優れたデザイン性を実現できる。環状溝３６の開口を露出させるにはレバーハンドル１０及び化粧リング３９を取り外せばよく、大掛かりな解体作業を必要としない。このため、既に備え付けられた状態であっても回動体３０の回動範囲の変更作業を簡単に行うことができる。
【００３５】
（第一実施形態の変形例１）
上記実施形態においては、水栓本体２０の小径部２１に２つの固定隆起部２１ａを設け、リング部材３５の内周に１つの移動張出部３５ｂを設けた場合を例示したが、図９，１０に示すように、水栓本体２０の小径部２１に１つの固定隆起部２１ｂを設け、リング部材３５の内周に２つの移動張出部３５ｄを設けてもよい。この場合、２つの移動張出部３５ｄは、回動体３０の回動軸線ＣＬを挟むように配置される。
【００３６】
当該変形例に係る水栓装置によっても、図１０に示すように、環状溝３６に必要本数のキー部材３８を収容することによって回動体３０の回動を所望の範囲に設定することができる。図１０の上段はキー部材３８の収容本数を右側１本、左側０本とした場合の回動範囲を示しており、中段は右側１本、左側１本とした場合、下段は右側１本、左側２本とした場合を示している。
【００３７】
（第一実施形態の変形例２）
上記実施形態においては、リング部材３５の内周に移動張出部３５ｂを設ける場合を例示したが、移動張出部３５ｂは回動体３０の回動と共に移動すればよく、図１１に示すように、移動張出部３５ｅが筒状部３１の内周に直接設けられていてもよい。この場合、環状溝３６を画成するために、移動張出部３５ｅに相当する部分に切り欠きを有するリング部材３５を使用すればよい。
【００３８】
本変形例においては、固定隆起部２１ｃが回動体３０の回動軸線ＣＬを中心として移動張出部３５ｅが設けられている側と反対側に円弧状を描くように設けられている。なお、本変形例において１つの固定隆起部２１ｃの代わりに図４，５に示す２つの固定隆起部２１ａを採用してもよいし、上記実施形態において図４，５に示す２つの固定隆起部２１ａの代わりに図１２に示す１つの固定隆起部２１ｃを採用してもよい。
【００３９】
当該変形例に係る水栓装置によっても、図１２に示すように、環状溝３６に必要本数のキー部材３８を収容することによって回動体３０の回動を所望の範囲に設定することができる。図１２の上段はキー部材３８の収容本数を右側１本、左側０本とした場合の回動範囲を示しており、中段は右側１本、左側１本とした場合、下段は右側１本、左側２本とした場合を示している。
【００４０】
＜第二実施形態＞
図１３に示す水栓器具５０Ｂは、レバーハンドルが水栓本体の側面にあるタイプである。水栓器具５０Ｂは、側面にレバーハンドル１０が装着される水栓本体２０Ｂと、水栓本体２０Ｂから上方に延びる回動スパウト３０Ｂと、水栓本体２０Ｂの上部に設けられており回動スパウト３０Ｂが水栓本体２０Ｂに対して回動自在に接続される接続部４０とを備える。なお、回動スパウト３０Ｂと接続部４０との間には摺動低減リング４１が装着される（図１４参照）。
【００４１】
図１４に示すとおり、回動スパウト３０Ｂの基端面には移動張出部３０ｂが設けられ、他方、接続部４０の環状の底面４２には円弧状溝４２ａが設けられ、この溝４２ａに移動張出部３０ｂが収容される。この円弧状溝４２ａ内にキー部材３８を装着することによって移動張出部３０ｂが円弧状溝４２ａ内を移動する範囲を狭めることができる。
【００４２】
水栓本体２０Ｂの材質としては、金属又は樹脂が使用できる。水栓の強度を確保する観点から、金属を使用することが好ましく、金属の中でも生産性（加工性）に優れる点から銅合金が好適である。本実施形態においては、水栓本体２０Ｂが外観部となるため、メッキ処理を施すのが外観的に好ましい。
【００４３】
回動スパウト３０Ｂ内に浄水カートリッジ（不図示）を装着できる構成とし、使用する水を原水又は浄水に切り替えをできるようにしてもよい。また、回動スパウト３０Ｂは、カートリッジが収容された部分及びホース２５ｃを引き出せる構成としてもよい。なお、混合水を移送するホース２５ｃ（図１４には不図示）は、接続部４０の中央に設けられた開口４３を通り、回動スパウト３０Ｂに至る。
【００４４】
水栓装置５０Ｂによれば、図１５に示すように、円弧状溝４２ａに必要本数のキー部材３８を収容することによって回動スパウト３０Ｂの回動を所望の範囲に設定することができる。図１５の上段はキー部材３８の収容本数を右側１本、左側１本とした場合の回動範囲を示しており、下段は右側２本、左側１本とした場合を示している。
【００４５】
水栓器具５０Ｂによれば、水栓本体２０Ｂの上部に位置する接続部４０の円弧状溝４２ａにキー部材３８を挿入するという簡易な作業で回動スパウト３０Ｂの回動範囲を制限できる。キー部材３８が収容される円弧状溝４２ａは接続部４０の内部に位置するため、水栓器具５０Ｂの外観が損なわれることがなく優れたデザイン性を実現できる。円弧状溝４２ａの開口を露出させるには水栓器具５０Ｂの上部のパーツ（回動スパウト３０Ｂ及び必要であれば摺動低減リング４１）を上方に引き上げればよく、大掛かりな解体作業を必要としない。このため、既に備え付けられた状態であっても回動スパウト３０Ｂの回動範囲の変更作業を簡単に行うことができる。
【００４６】
なお、上記第二実施形態においては、横方向に延びる水栓本体２０Ｂの側面にレバーハンドル１０が装着された水栓器具５０Ｂを例示したが、水栓本体の形状及びレバーハンドルの位置を適宜変更してもよい。また、吐水と止水とを切り替え可能とする構成として、レバーハンドルの代わりに、スイッチ（タッチスイッチ又はタッチレススイッチ）を採用してもよい。
【００４７】
本明細書には、独立形式請求項に係る発明とは異なる他の発明も記載されている。本願の請求項及び実施形態に記載されたそれぞれの形態、部材、構成及びそれらの組み合わせは、それぞれが有する作用効果に基づく発明として認識される。
【００４８】
上記各実施形態で示されたそれぞれの形態、部材、構成等は、これら実施形態の全ての形態、部材又は構成を備えなくても、個々に、本願請求項に係る発明をはじめとした、本願記載の全発明に適用されうる。
【符号の説明】
【００４９】
１０…レバーハンドル、２０，２０Ｂ…水栓本体、２１…小径部、２１ａ，２１ｂ，２１ｃ…固定隆起部、２５…水栓部、３０…回動体、３０Ｂ…回動スパウト、３０ｂ，３５ｂ，３５ｄ，３５ｅ…移動張出部、３１…筒状部、３３…スパウト部、３５，３５Ａ…リング部材、３５ｃ…位置決め用溝、３６…環状溝、３８，３８Ａ…キー部材、４０…接続部、４２ａ…円弧状溝、５０，５０Ｂ…水栓器具、ＣＬ…回動軸線。
【図１】
2014177807.tif 000003
【図２】
2014177807.tif 000004
【図３】
2014177807.tif 000005
【図４】
2014177807.tif 000006
【図５】
2014177807.tif 000007
【図６】
2014177807.tif 000008
【図７】
2014177807.tif 000009
【図８】
2014177807.tif 000010
【図９】
2014177807.tif 000011
【図１０】
2014177807.tif 000012
【図１１】
2014177807.tif 000013
【図１２】
2014177807.tif 000014
【図１３】
2014177807.tif 000015
【図１４】
2014177807.tif 000016
【図１５】
2014177807.tif 000017